【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、
前記液体塗布手段により液体が塗布された媒体に記録ヘッドからインクを吐出させる手段と、
前記液体を貯蔵する貯蔵手段と、
前記貯蔵手段と前記液体保持部材とを連通する経路と、
前記経路と前記液体保持部材を含む流路から前記液体を回収する回収手段と、
前記回収手段による回収動作を行った旨の情報を記憶する記憶手段と、
前記塗布手段による塗布の前に行う準備動作として、前記貯蔵手段から前記経路を介して前記液体保持部材に前記液体を供給する供給動作および前記塗布部材を回転させる回転動作の少なくとも一方を行う準備動作実行手段とを備え、
前記準備動作実行手段は、前記記憶手段の記憶内容を参照し、前記回収動作を行った旨の情報が記憶されているか否かに応じて、前記準備動作の内容を異ならせることを特徴とするインクジェット記録装置。
【請求項２】
媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、
前記液体塗布手段により液体が塗布された媒体に記録ヘッドからインクを吐出させる手段と、
前記液体を貯蔵する貯蔵手段と、
前記貯蔵手段に貯蔵される液体を前記液体保持部材へ供給するための第１の経路と、
前記液体保持部材に保持される液体を前記貯蔵手段に回収するための第２の経路と、
前記第１の経路、前記第２の経路、前記液体保持部材を含む流路から前記液体を回収する回収手段と、
前記回収手段による回収動作を行った旨の情報を記憶する記憶手段と、
前記塗布手段による塗布の前に、前記貯蔵手段から前記第１の経路を介して前記液体保持部材に前記液体を供給する動作を行う実行手段とを有し、
前記実行手段は、前記記憶手段の記憶内容を参照し、前記情報が記憶されているか否かに応じて、前記液体の供給に係る動作内容を異ならせることを特徴とするインクジェット記録装置。
【請求項３】
媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、
前記液体塗布手段により液体が塗布された媒体に記録ヘッドからインクを吐出させる手段と、
前記液体を貯蔵する貯蔵手段と、
前記貯蔵手段に貯蔵される液体を前記液体保持部材へ供給するための第１の経路と、
前記液体保持部材に保持される液体を前記貯蔵手段に回収するための第２の経路と、
前記第１の経路、前記第２の経路、前記液体保持部材を含む流路から前記液体を回収する回収手段と、
前記回収手段による回収動作を行った旨の情報を記憶する記憶手段と、
前記塗布手段による塗布の前に、前記塗布部材を回転させる動作を行う実行手段とを有し、
前記実行手段は、前記記憶手段の記憶内容を参照し、前記情報が記憶されているか否かに応じて、前記塗布部材の回転に係る動作内容を異ならせることを特徴とするインクジェット記録装置。
【請求項４】
前記回収手段は、前記流路から液体を回収して所定の箇所に移動させることにより前記液体の回収を行うことを特徴とする請求項１乃至３のいずれかに記載のインクジェット記録装置。
【請求項５】
前記準備動作として、前記供給動作を行う場合、前記準備動作実行手段は、前記供給動作を行うポンプの駆動時間を、前記情報が記憶されていないときは前記情報が記憶されているときよりも長くすることを特徴とする請求項１に記載のインクジェット記録装置。
【請求項６】
前記準備動作として、前記回転動作を行う場合、前記準備動作実行手段は、前記塗布部材の回転時間を、前記情報が記憶されていないときは前記情報が記憶されているときよりも長くすることを特徴とする請求項１に記載のインクジェット記録装置。
【請求項７】
前記準備動作として、前記供給動作を行う場合、前記準備動作実行手段は、前記供給動作を行うポンプの駆動速度を、前記情報が記憶されていないときは前記情報が記憶されているときよりも大きくすることを特徴とする請求項１に記載のインクジェット記録装置。
【請求項８】
前記準備動作として、前記回転動作を行う場合、前記準備動作実行手段は、前記塗布部材の回転速度を、前記情報が記憶されていないときは前記情報が記憶されているときよりも大きくすることを特徴とする請求項１に記載のインクジェット記録装置。
【請求項９】
前記準備動作として、前記供給動作を行う場合、前記準備動作実行手段は、前記供給動作を行うポンプの駆動回数を、前記情報が記憶されていないときは前記情報が記憶されているときよりも多くすることを特徴とする請求項１に記載のインクジェット記録装置。
【請求項１０】
前記準備動作として、回転動作を行う場合、前記準備動作実行手段は、前記塗布部材の回転回数を、前記情報が記憶されていないときは前記情報が記憶されているときよりも多くすることを特徴とする請求項１に記載のインクジェット記録装置。
【請求項１１】
媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、
前記液体塗布手段により液体が塗布された媒体に記録ヘッドからインクを吐出させる手段と、
前記液体を貯蔵する貯蔵手段と、
前記貯蔵手段と前記液体保持部材とを連通する経路と、
前記経路と前記液体保持部材を含む流路から前記液体を回収する回収手段と、
前記回収手段による回収動作を行った旨の情報を記憶する記憶手段と、
前記記憶手段の記憶内容を参照し、前記回収動作を行った旨の情報が記憶されていない場合、記塗布手段による塗布の前に所定の準備動作を行う準備動作実行手段とを備え、
前記所定の準備動作は、（Ａ）前記貯蔵手段から前記経路を介して前記液体保持空間に前記液体を供給する供給動作および（Ｂ）前記塗布部材を回転させる回転動作の少なくとも一方であることを特徴とするインクジェット記録装置。
【請求項１２】
前記液体は、インク中の色材を凝集させる成分を含むことを特徴とする請求項１ないし１１のいずれかに記載のインクジェット記録装置。
【手続補正２】
【補正対象書類名】明細書
【補正対象項目名】０００９
【補正方法】変更
【補正の内容】
【０００９】
しかしながら、特許文献５では、塗布ローラ上における塗布液の増粘は問題認識されているが、塗布ローラへ塗布液を供給するための流路中における塗布液の増粘は問題認識されていない。すなわち、塗布液の貯蔵タンクから流路を介して塗布ローラへ塗布液を供給する形態においては、非動作状態が長時間継続すると流路内の塗布液が蒸発し、流路内で塗布液が増粘・固着する。この増粘・固着を軽減するためには、非動作状態が長時間継続する前に、流路内の塗布液を回収しておくことが望ましい。しかし、特許文献５には、このような塗布液の回収動作に関する記載は一切ない。また、特許文献１〜４にも、非動作状態が長時間継続する前に塗布液を回収する旨の記載はない。
【手続補正３】
【補正対象書類名】明細書
【補正対象項目名】００１３
【補正方法】変更
【補正の内容】
【００１３】
上記課題を解決するための本発明の第１の形態では、インクジェット記録装置において、媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、前記液体塗布手段により液体が塗布された媒体に記録ヘッドからインクを吐出させる手段と、前記液体を貯蔵する貯蔵手段と、前記貯蔵手段と前記液体保持部材とを連通する経路と、前記経路と前記液体保持部材を含む流路から前記液体を回収する回収手段と、前記回収手段による回収動作を行った旨の情報を記憶する記憶手段と、前記塗布手段による塗布の前に行う準備動作として、前記貯蔵手段から前記経路を介して前記液体保持部材に前記液体を供給する供給動作および前記塗布部材を回転させる回転動作の少なくとも一方を行う準備動作実行手段とを備え、前記準備動作実行手段は、前記記憶手段の記憶内容を参照し、前記回収動作を行った旨の情報が記憶されているか否かに応じて、前記準備動作の内容を異ならせることを特徴とする。
【手続補正４】
【補正対象書類名】明細書
【補正対象項目名】００１４
【補正方法】変更
【補正の内容】
【００１４】
また、本発明の第２の形態では、インクジェット記録装置において、媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、前記液体塗布手段により液体が塗布された媒体に記録ヘッドからインクを吐出させる手段と、前記液体を貯蔵する貯蔵手段と、前記貯蔵手段に貯蔵される液体を前記液体保持部材へ供給するための第１の経路と、前記液体保持部材に保持される液体を前記貯蔵手段に回収するための第２の経路と、前記第１の経路、前記第２の経路、前記液体保持部材を含む流路から前記液体を回収する回収手段と、前記回収手段による回収動作を行った旨の情報を記憶する記憶手段と、前記塗布手段による塗布の前に、前記貯蔵手段から前記第１の経路を介して前記液体保持部材に前記液体を供給する動作を行う実行手段とを有し、前記実行手段は、前記記憶手段の記憶内容を参照し、前記情報が記憶されているか否かに応じて、前記液体の供給に係る動作内容を異ならせることを特徴とする。
【手続補正５】
【補正対象書類名】明細書
【補正対象項目名】００１５
【補正方法】変更
【補正の内容】
【００１５】
また、本発明の第３の実施形態では、インクジェット記録装置において、媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、前記液体塗布手段により液体が塗布された媒体に記録ヘッドからインクを吐出させる手段と、前記液体を貯蔵する貯蔵手段と、前記貯蔵手段に貯蔵される液体を前記液体保持部材へ供給するための第１の経路と、前記液体保持部材に保持される液体を前記貯蔵手段に回収するための第２の経路と、前記第１の経路、前記第２の経路、前記液体保持部材を含む流路から前記液体を回収する回収手段と、前記回収手段による回収動作を行った旨の情報を記憶する記憶手段と、前記塗布手段による塗布の前に、前記塗布部材を回転させる動作を行う実行手段とを有し、前記実行手段は、前記記憶手段の記憶内容を参照し、前記情報が記憶されているか否かに応じて、前記塗布部材の回転に係る動作内容を異ならせることを特徴とする。
【手続補正６】
【補正対象書類名】明細書
【補正対象項目名】００１６
【補正方法】変更
【補正の内容】
【００１６】
また、本発明の第４の実施形態では、インクジェット記録装置において、媒体に液体を塗布する塗布部材と、前記液体が前記塗布部材の一部と接した状態で当該液体を保持する液体保持部材とを備え、前記塗布部材を回転させることにより、前記液体保持部材に保持される液体を前記塗布部材を介して前記媒体に塗布する液体塗布手段と、前記液体塗布手段により液体が塗布された媒体に記録ヘッドからインクを吐出させる手段と、前記液体を貯蔵する貯蔵手段と、前記貯蔵手段と前記液体保持部材とを連通する経路と、前記経路と前記液体保持部材を含む流路から前記液体を回収する回収手段と、前記回収手段による回収動作を行った旨の情報を記憶する記憶手段と、前記記憶手段の記憶内容を参照し、前記回収動作を行った旨の情報が記憶されていない場合、記塗布手段による塗布の前に所定の準備動作を行う準備動作実行手段とを備え、前記所定の準備動作は、（Ａ）前記貯蔵手段から前記経路を介して前記液体保持空間に前記液体を供給する供給動作および（Ｂ）前記塗布部材を回転させる回転動作の少なくとも一方であることを特徴とする。
【手続補正７】
【補正対象書類名】明細書
【補正対象項目名】００１７
【補正方法】削除
【補正の内容】